(57)【要約】【課題】振動が伝達されにくい状態でラジエータを支持する。【解決手段】クランクケース１１内にはファン２１が設けられている。クランクケース１１にはファン２１を収容する金属製のファンケース２４が取り付けられている。ファン２１が回転すると、冷却風はラジエータ２２のコア３８を通過してファンケース２１の放熱用開口部２５より外部へ抜け出る。ラジエータ２２の上下のタンク３６，３７には装着部４１，４５が形成され、それぞれには弾性材よりなるグロメット５０が装着される。したがって、ラジエータ２２はファンケース２４へボルト締めされると、グロメット５０の弾性によって振動が吸収された状態で支持される。【選択図】図７
2009090914.tif 000002
【特許請求の範囲】
【請求項１】
車両に設けられ、外面に放熱用開口部が形成された金属製の支持部と、
この支持部の先端部に取り付けられるラジエータと、
このラジエータと対向して配され、前記ラジエータから放出される熱を前記放熱用開口部を通して外部に放熱させる冷却用のファンと、
前記支持部と前記ラジエータとの間に介在される振動吸収材と、
を備えてなることを特徴とする自動二輪車。
【請求項２】
前記ラジエータは、両端部に配されたタンクと両タンク間に配されたコアとからなるとともに、前記両タンクのうち少なくとも一方のタンクにおける長さ方向の一端部には前記支持部に対する取り付け部が設けられ、かつ同タンクにおける長さ方向の他端部にはエンジンとの間で冷却水を循環させるための配管に対する接続部が設けられていることを特徴とする請求項１に記載の自動二輪車。
【請求項３】
前記ラジエータにおいて、前記取り付け部は前記一方のタンクに配され、他方のタンクにおける長さ方向の端部であって前記取り付け部の対角位置には前記支持部に対する少なくとも二つの固定部が並列して配されていることを特徴とする請求項２に記載の自動二輪車。
【請求項４】
前記ラジエータは、前記支持部に対する取り付けがなされる部位のみが前記振動吸収材を介して前記支持部に接触し、他の部位は前記支持部に対し非接触となっていることを特徴とする請求項１記載の自動二輪車。
【請求項５】
前記支持部は、前記エンジンのクランクケースに取り付けられるファンケースであるとともに、このファンケース内に前記ファンが格納されていることを特徴とする請求項１に記載の自動二輪車。
【請求項６】
前記ファンは、その回転中心の軸線と前記ファンケースの軸線とが平行に配され、かつ前記ラジエータを通過する空気流を前記放熱用開口部へ向かわせる遠心ファンであることを特徴とする請求項５に記載の自動二輪車。
【請求項７】
前記ラジエータは、前記エンジンの車両幅方向外方に配されるとともに、高さ方向、幅方向及び厚み方向の各寸法のうち最も小さい寸法に設定された厚み方向を、車両幅方向に向けて配置されていることを特徴とする請求項１に記載の自動二輪車。
【請求項８】
前記エンジンは、車両フレームに対し車幅方向に沿って配されるピボット軸を中心に上下方向へ揺動可能なユニットスイング式エンジンであることを特徴とする請求項１に記載の自動二輪車。
【発明の詳細な説明】
【技術分野】
【０００１】
本発明は、自動二輪車に関する。
【背景技術】
【０００２】
従来より、ラジエータを防振した状態でエンジンに取り付けるようにする技術が知られている。その一例として、下記特許文献１を挙げることができる。このものは、ラジエータの放熱用コアの上下に配されたアッパ・ロアの両タンクを合成樹脂製としてある。一方、ラジエータの内側には放熱用のファンが対向しており、これを取り囲むようにして合成樹脂性のシュラウドが設けられている。ラジエータ全体はシュラウドを介してエンジンに取り付けられている。かくして、ラジエータはシュラウドの材質に基づく弾性によって、エンジンからの振動が吸収された状態で取付けられる。
【特許文献１】特開２００２−２０１９３８公報
【発明の開示】
【発明が解決しようとする課題】
【０００３】
上記の構造では、ラジエータ全体が合成樹脂製の部材（シュラウド、上下のタンク）によって支持されることから、大排気量のエンジンに適用されるような大型のラジエータでは、支持強度の不足が懸念される。また、冷却用のファンを取り囲むシュラウドが、金属材に比較して放熱性に乏しい合成樹脂製であるため、ラジエータの冷却効率の点でも改善の余地を残す。
【０００４】
本発明は上記のような事情に基づいて完成されたものであって、高い支持強度をもってラジエータを防振的に支持することができる自動二輪車を提供することを目的とする。
【課題を解決するための手段】
【０００５】
上記の目的を達成するための手段として、本発明は、車両に設けられ、外面に放熱用開口部が形成された金属製の支持部と、この支持部の先端部に取り付けられるラジエータと、このラジエータと対向して配され、ラジエータから放出される熱を放熱用開口部を通して外部に放熱させる冷却用のファンと、支持部とラジエータとの間に介在される振動吸収材とを備えてなるところに特徴を有する。
【発明の効果】
【０００６】
＜請求項１の発明＞
ラジエータは振動吸収材を介して取り付けられて、車両の振動が直接ラジエータに伝達されずに済むようにしてあるため、ラジエータ自体の耐振動対策（例えば、冷却水を循環させるためのホース類との接続口の強度を向上させること）の要請を緩和することができる。支持部を合成樹脂材にて形成すれば、支持部自体によってラジエータへの振動をある程度吸収することも可能ではあるが、排気量の大きい自動二輪車に適用した場合等では、ラジエータ自体の重量増もあって樹脂製支持部では強度の面が懸念される。その点、本発明であれば、支持部が金属製であることから、強度上の不安はない。しかも、ファンによって生じた、ラジエータからの熱を伴った空気流は放熱用開口部を通って外部に排出される。そのときに、金属製である支持部は樹脂に比較して熱伝導率が高いため、高い放熱性が得られる。
【発明を実施するための最良の形態】
【０００７】
＜実施形態１＞
本発明の実施形態１を図１ないし図８によって説明する。なお、以下の説明中、「前後」の語は、車両の前後方向を基準としており、「左右」の語は運転者から見た場合の左右方向を言うものとする。
【０００８】
図１には本実施形態に係る自動二輪車の全体が示されている。車体１は、前部にハンドル２を有し、ハンドル２はヘッドパイプ３を挿通するステアリング軸４を介して前輪５に連結されている。ヘッドパイプ３には車体全体の骨組み構造となる車両フレーム６が結合されている。車体１全体は、車体カバー８によって覆われ、中央にはシート９が配されている。
【０００９】
車両フレーム６にはエンジンユニットＵが取り付けられている。エンジンユニットＵは、エンジン１０、クランクケース１１等を備えて構成されている。エンジンユニットＵは車両フレーム６に対してピボット軸１２周りに回動可能に懸架されている。エンジンユニットＵの後部には後輪１３が連結されかつリアショックアブソーバ１４の下端が回動可能に連結されている。リアショックアブソーバ１４の上端は車両フレーム６に回動可能に連結されている。このことによって、エンジンユニットＵは後輪１３と共にピボット軸１２周りにスイング可能となり、スイングユニット式エンジンを構成する。
【００１０】
本実施形態に係るエンジン１０は４サイクル単気筒エンジンであり、気筒軸を略水平にかつ前方へ向けた状態で車両フレーム６に搭載されている。エンジン１０は、クランクケース１１の前壁にシリンダブロック１５、シリンダヘッド１６を順に積層して締結されている。クランクケース１１内には、クランクシャフト１９が車両の幅方向に沿って収容され、軸心周りに回転可能に支持されている。
【００１１】
クランクシャフト１９における車幅方向左側の構造は、図２においては省略されているが、ここには後車輪を駆動させるためのＶベルト巻き掛け式の自動変速機構が配されている。一方、クランクシャフト１９の車幅方向右側には、発電用のフライホイールマグネトー２０とラジエータ２２を冷却するためのファン２１とが軸方向に並列して取付けられている。さらに、ファン２１の右側方にはラジエータ２２が配されており、ラジエータ２２全体はラジエータカバー２３によって覆われている。
【００１２】
前記したファン２１は、クランクシャフト１９と同心で配され、クランクシャフト１９と連動して回転可能である。ファン２１は、円板形状をなす回転板２１Ａと、この回転板２１Ａにおけるラジエータ２２と対向する側の面に複数片が一体に突設され、全体として渦巻き状に配された羽根片２１Ｂとを備えて構成されている。このように、本実施形態のファン２１は遠心ファンであり、クランクシャフト１９の回転に伴って回転すると、外気はラジエータ２２を通過してファン２１側へ取り込まれた後、遠心方向へと向きを変え、後述するファンケース２４の放熱用開口部２５を通して外部に排出される。
【００１３】
次に、ラジエータ２２の取付け構造の詳細を説明する。クランクケース１１の右端部は側方へ開放して形成され、ファン２１の外周面のほぼ全面をクランクケース１１の開口から外方へ突出させている。
【００１４】
ファンケース２４は金属製（例えば、アルミダイキャスト製）であり、外周縁部には取付け板部２６が形成されている。取付け板部２６の中央部には、ファン２１の外径とほぼ同径の孔径を有する通風孔２７が開口している。この通風孔２７は、ファンケース２４がクランクケース１１に取付けられときには、ファン２１と同軸をなすようにしてある。ファンケース２４の裏面側（クランクケース１１と対向する側）には、通風孔２７の孔径より大径の短円筒状に形成された筒状部２８が、通風孔２７と同心で突出形成されている。この筒状部２８の外周面にはスリット状に形成された多数個の放熱用開口部２５が開口して形成されている。
【００１５】
取付け板部２６における通風孔２７を取り囲む四箇所の位置には、クランクケース１１への固定のためのケース取付け孔２９が貫通している。各ケース取付け孔２９は、図５に示すように、取付け板部２６における通風孔２７の上方であって水平方向に離間した二箇所と、及び通風孔２７の下部を挟む位置で、かつ上部側に配されたケース取付け孔２９同士の間隔より広い間隔をもって二箇所に配置されている。取付け板部２６の裏面側において、各ケース取付け孔２９に対応した位置には、筒状部２８との干渉を避けつつ中空のボス部３０がクランクケース１１側へ向けて突出している。各ボス部３０は筒状部２８の水平方向への長さとほぼ同じ長さをもって形成されるとともに、図示はしないが、クランクケース１１の対向壁面に形成されたボルト孔とそれぞれ整合してボルト１７をねじ込み可能である。これによって、ファンケース２４全体がクランクケース１１の右端側壁面に固定可能である。
【００１６】
取付け板部２６にはラジエータ２２を取り付けるために計三箇所のラジエータ取付け孔３１も配されている（図５参照）。取付け板部２６における上部の幅方向両端部には外縁が斜めに切り落とされた傾斜部が形成され、そのうちの図示左側傾斜部１８（取付け板部２６の左上コーナ部）に、ラジエータ取付け孔３１（上部側ラジエータ取付け孔３１）の一つが設けられている。一方、取付け板部２６における下部側は略右半部が下方へ拡張された拡張部２６Ａが形成され、この拡張部２６Ａの下縁にもラジエータ取付け孔３１（下部側ラジエータ取付け孔３１）が二箇所所定間隔を隔てて水平方向に並列して配されている。各ラジエータ取付け孔３１は取付け板部２６の表裏両方向へ一体に突出して形成されたねじ締め筒部３２の軸心に沿って形成されている。各ラジエータ取付け孔３１はラジエータ２２に対する固定用のボルト４８が締め込み可能なねじ孔となっている。各ねじ締め筒部３２のうちラジエータ２２と対向する側に突出する部分の根元には補強用のリブ３３が設けられている。ラジエータ２２はファンケース２４に対し各ねじ締め筒部３２の外端面のみが突き当てられ、他はファンケース２４から浮いて非接触の状態となっている。
【００１７】
取付け板部２６にはラジエータカバー２３を取付けるためのカバー取付け孔３４も配されている。カバー取付け孔３４は、取付け板部２６において通風孔２７を幅方向に挟んで片側２箇所ずつ上下に配されている。各カバー取付け孔３４は取付け板部２６の外面側（ラジエータカバー２３側）へ一体に突出するスリーブ部３５の軸心に沿って形成されている。各カバー取付け孔３４はラジエータカバー２３に対する固定用のボルト５８を締め込み可能なねじ孔となっている。
【００１８】
ラジエータ２２は、上部タンク３６と下部タンク３７とこれら上下のタンク３６，３７を連結するコア３８とからなっている。ラジエータはファンケースに対し後述の要領で取り付けられる。この取り付けにあたり、ラジエータは厚み方向が車両幅方向に向けられている。本実施形態では、ラジエータの厚み寸法は、高さ寸法及び幅寸法のいずれよりも短い寸法に設定されている。
【００１９】
上部タンク３６には、図４に示すように、図示右端部の裏面側（ファンケース２４と対向する側）から流入側接続パイプ３９がエンジン側へ向けて斜めに突出している。この流入側接続パイプ３９には給水ホース４０の一端が接続され、同ホース４０の他端側はシリンダヘッド１６に接続され、その内部に形成されたウォータジャケット（図示しない）に連通している。上部タンク３６における上面の図示左端部（車両後端部であり、流入側接続パイプ３９が設けられた側と反対側）には、ファンケース２４への固定のための上部装着部４１（取付け部）が配されている。上部装着部４１は略円板状をなし、上部タンク３６の車両後方へ張り出すようにして形成されている。また、上部タンク３６の上面で上部装着部４１より幅方向内側の位置には、注水口を開閉するキャップ４２が装着されている。
【００２０】
一方、下部タンク３７の図示右端側面（車両右側の側面）には流出側接続パイプ４３が前方へ向けて水平に突出している。この流出側接続パイプ４３には排水ホース４４の一端側が接続され、同ホース４４の他端側はシリンダヘッド１６に設けられた冷却水ポンプの吸い込み口（共に図示しない）に接続されている。下部タンク３７の下面で図４に示す左側寄り（車両後部寄り）には開閉可能なドレン口４６が配されている。下部タンク３７の下面においてドレン口４６より後部側は後方へ行くに連れて上り勾配となる傾斜部４７となっている。このような傾斜部４７を設ける理由は、仮にこれを設けないと、運転者等の体重によってエンジン１０と共にラジエータ２２が後下がりの姿勢となったときに、下部タンク３７の後端部側が前端部側よりも低位となってしまい、冷却水の滞留が生じやすくなってしまうが、このように傾斜を設けておけばラジエータ２２が後下がりとなっても、下部タンク３７内の底面が、少なくとも傾斜状態に保持されるからである。
【００２１】
下部タンク３７における図示右半部の下縁、つまり上部装着部４１の対角位置には、下部装着部４５（固定部）が相互に間隔をあけつつ幅方向に並列して二箇所に配されている。両下部装着部４５も上部装着部４１と同様に、略円板状をなし下方へ向けて張出し形成されている。上下の各装着部４１，４５の中心にはグロメット装着孔４１Ａ，４５Ａがそれぞれ貫通している。
【００２２】
グロメット装着孔４１Ａ，４５Ａには図７に示すように、カラー４９とグロメット５０（振動吸収材）とが嵌め入れられている。カラー４９は、ファンケース２４のラジエータ取付け孔３１周りに密着するベース板４９Ａと、このベース板４９Ａの中心部に突出し、ボルト４８を挿通可能な筒軸部４９Ｂとからなっている。グロメット５０はゴム等の弾性材によって一体に形成されている。グロメット５０は、グロメット装着孔４１Ａ，４５Ａの内周面とカラー４９の筒軸部５１の外周面に密着状態で挿通される円筒状の基部５０Ａと、この基部５０Ａの軸方向両端部にフランジ状に張出す一対の鍔部５０Ｂとからなっている。両鍔部５０Ｂは各装着部４１，４５とほぼ同径の円板状に形成されるとともに、対応する各装着部４１，４５を厚み方向から挟持可能である。かくして、グロメット５０及びカラー４９を各装着部４１，４５に取り付けた状態で、ボルト４８をファンケース２４側のラジエータ取付け孔３１へと締め込むことで、ラジエータ２２全体はグロメット５０の弾性によって振動を抑制された状態でファンケース２４に支持される。
【００２３】
ラジエータカバー２３は、合成樹脂材によって一体に形成されている。ラジエータカバー２３にはファンケース２４の各カバー取付け孔３４と同心で整合する計４箇所の位置に、ボルト貫通孔５９がそれぞれ貫通して形成されている。ラジエータカバー２３の上縁にはキャップカバー部５２が上方へ向けて突出しており、ラジエータ２２の注水口とキャップの外周縁の略半周部を包み込むようになっている。ラジエータカバー２３の下縁部は後方へ行くにつれて上り勾配となる傾斜縁５３としてあり、排気管との干渉を避けるようにしている。
【００２４】
ラジエータカバー２３には略縦向きに形成された支柱５４を境に冷却風の取り込み口５５Ｆ，５５Ｒが前後に別れて開口している。両取り込み口５５Ｆ，５５Ｒは、車両側面視において共にラジエータ２２のコア３８の殆どの領域において重複するように配されている。各取り込み口５５Ｆ，５５Ｒには、複数の導風板５６が高さ方向に沿って複数片が横向きに配されているとともに、それぞれは後方へ向かう上り勾配が設定されて走行風をラジエータカバー２３の内部に取り込むことができるようにしてある。また、ラジエータカバー２３全体は支柱５４が設けられている部分が最もラジエータ２２から外方へ離れ、前後両端に向かうに連れてラジエータ２２側に接近するように屈曲して形成されている。つまり、ラジエータカバー２３の内部にラジエータ２２との間に走行風の取り込み空間Ｓが確保され、車両の走行に伴って前部側の取り込み口５５Ｆから取り込み空間内に取り込まれた走行風の一部をファン２１によってラジエータ２２を通過する冷却風として取り込み、残りの走行風は後部の取り込み口５５Ｒを通して通過させるようにしている。
【００２５】
上記のように構成された本実施形態によれば、ラジエータ２２は上下の各装着部４１，４５において、良好な弾性を有するグロメット５０によりファンケース２４に対して弾性的に支持されるため、車両の振動、エンジン１０の振動がラジエータ２２側に伝達されてしまう事態を緩和することができる。従来であれば、ラジエータ２２に接続される給排水のホース４０，４４との接続パイプ３９，４３の強度を上げて耐振動対策をしてきたが、本実施形態ではラジエータ２２自体の振動が有効に低減されるため、これら接続パイプ３９，４３の強度を必要以上に上げる必要がなくなる。本実施形態が採用しているスイングユニットエンジンのように、振動しやすいエンジン形式の場合に、このことはとりわけ有意義である。
【００２６】
また、ラジエータ２２に対する冷却風はラジエータカバー２３の取り込み口５５Ｆ，５５Ｒを通してラジエータカバー２３内に取り込まれる。そして、コア３８を通過してファンケース２４の放熱用開口部２５より外部に放出される。この際において、ファンケース２４は放熱性に優れる金属製（アルミニウム製）であるため、ラジエータ２２の冷却効率が高められている。また、ファンケース２４を金属製とした他のメリットとして、合成樹脂製のものに比較して支持強度が高いことから、大容量のラジエータ２２を支持する上で有効である、という点を挙げることができる。
【００２７】
このように、本実施形態ではラジエータに対する冷却性及び支持強度に優れる金属材料によってファンケース２４を形成してもなお、ラジエータ２２を弾性的に支持することができる構成であるから、ラジエータ２２の支持構造として極めて優れる。
【００２８】
本実施形態からは、以下のような特徴的構造を見出すことができる。  
（１）ラジエータ２２は、両端部に配されたタンク３６，３７と両タンク３６，３７間に配されたコア３８とからなるとともに、両タンク３６，３７のうち少なくとも一方のタンク（上部タンク３６）における長さ方向の一端部には支持部（ファンケース２４）に対する取り付け部（上部装着部４１）が設けられ、かつ同タンク３６における長さ方向の他端部にはエンジン１０との間で冷却水を循環させるための配管（給水ホース４０）に対する接続部（流入側接続パイプ３９）が設けられている。  
このような構成によれば、支持部（ファンケース２４）に対するラジエータ２２の取り付けに関し、少なくとも一方のタンク（上部タンク３６）においては、一端側に配された取り付け部（上部装着部４１）によってのみなされるが、他端側では冷却水の循環用配管（給水ホース４０）と接続部（流入側接続パイプ３９）との接続がなされることによって、ラジエータ２２は長さ方向（車両前後方向）の両端において簡易的に支持がなされる。したがって、ラジエータ２２の取り付け作業を簡便に済ますことができる。
【００２９】
（２）（１）の構成において、ラジエータ２２において、取り付け部（上部装着部４１）は一方のタンク（上部タンク３６）に配され、他方のタンク（下部タンク３７）における長さ方向の端部であって取り付け部（上部装着部４１）の対角位置には支持部（ファンケース２４）に対する少なくとも二つの固定部（下部装着部４５）が並列して配されている。  
このような構成によれば、ラジエータ２２は支持部（ファンケース２４）に対し、少なくとも一箇所の取り付け部（上部装着部４１）と少なくとも二つの固定部（下部装着部４５）により、少なくとも計三箇所において支持されるため、ラジエータ２２の傾きが規制される。また、固定部（下部装着部４５）は他方のタンク（下部タンク３７）の長さ方向の端部に寄せて配されているため、固定部（下部装着部４５）が設けられていない側の端部を空きスペースとすることで、他部材、例えば排気管の配置等に有効利用することができる。
【００３０】
（３）ラジエータ２２は、支持部（ファンケース２４）に対する取り付けがなされる部位のみが振動吸収材（グロメット５０）を介して支持部（ファンケース２４）に接触し、他の部位は支持部（ファンケース２４）に対し非接触となっている。  
このような構成によれば、ラジエータは、支持部（ファンケース２４）に対して振動吸収材（グロメット５０）を介して取り付けられているため、走行中の振動によりラジエータ２２が支持部（ファンケース２４）に対して僅かながらも相対変位をすることになる。しかし、ラジエータ２２と支持部（ファンケース２４）との接触部位は必要最小限度に留められているため、磨耗範囲を少なくすることができる。
【００３１】
（４）支持部は、エンジン１０のクランクケース１１に取り付けられるファンケース２４であるとともに、このファンケース２４内にファン２１が格納されている。  
このような構成によれば、ファン２１は、それ自体が振動発生源であるため、例えばファン２１をラジエータ２２の外側、つまりエンジン１０から遠い側に配置すると、ラジエータ２２に作用する振動がより増幅されてしまうことが懸念される。しかし、ファン２１をエンジン１０に近い側であるファンケース２４内に格納すれば、ラジエータ２２に作用する振動を相対的に低く抑制することができる。
【００３２】
（５）（４）の構成において、ファン２１は、その回転中心の軸線とファンケース２４の軸線とが平行に配され、かつラジエータ２２を通過する空気流を放熱用開口部２５へ向かわせる遠心ファンである。  
このような構成によれば、遠心ファンを採用したことにより、放熱用開口部２５からの熱の排出を効果的に行うことができる。
【００３３】
（６）ラジエータ２２は、エンジン１０の車両幅方向外方に配されるとともに、高さ方向、幅方向及び厚み方向の各寸法のうち最も小さい寸法に設定された厚み方向を、車両幅方向に向けて配置されている。  
このような構成によれば、ラジエータ２２をエンジン１０の車幅方向外方に配置した場合においても、最も小さい寸法である厚み方向を車幅方向に向けて配置したため、車幅寸法の増大を最小限にとどめることができる。
【００３４】
（７）エンジンは、車両フレームに対し車幅方向に沿って配されるピボット軸を中心に上下方向へ揺動可能なユニットスイング式エンジンである。  
このような構成によれば、ユニットスイング式エンジンでは、走行中の車両振動がよりラジエータに伝達されやすいが、本発明では金属製支持部（ファンケース２４）による高い支持強度と、振動吸収材（グロメット５０）による高い耐振性とが発揮されるため、本発明の適用によってこれら効果が顕著である。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３６】
（１）本実施形態では、支持部としてのファンケース２４をエンジン１０に対して別部材として取り付けた場合を示したが、ファンケース２４をエンジン１０から一体に突設させるようにしてもよい。
【００３７】
（２）本実施形態では、ファン２１をクランクシャフト１９と連動する構造としたが、クランクシャフト１９とは切り離されて独自に駆動する構造、例えば電動式のものであってもよい。
【００３８】
（３）ラジエータ２２の設置箇所は、クランクケース１１の側面に限らず、エンジン１０の前方に配置して車両フレーム６によって支持するようにしてもよい。
【００３９】
（４）本実施形態では、ファン２１の形式として遠心ファンを採用したが、これに代えて軸流式のものを用いることも可能である。
【００４０】
（５）本実施形態では、両タンク３６，３７が上下に位置するよう、ラジエータ２２を縦向きに取り付けるようにしたが、両タンク３６，３７が車両の前後に位置するよう、ラジエータ２２を横向き姿勢で取り付けるようにしてもよい。
【図面の簡単な説明】
【００４１】
【図１】自動二輪車の全体を示す側面図
【図２】ラジエータ周辺の断面図
【図３】同じく側面図
【図４】ラジエータの正面図
【図５】ファンケースの正面図
【図６】同じく側面図
【図７】ラジエータの取り付け部分を拡大して示す断面図
【図８】ラジエータカバーを示す側面図
【符号の説明】
【００４２】
１…車体
６…車両フレーム
１０…エンジン
１１…クランクケース
１２…ピボット軸
２１…ファン
２２…ラジエータ
２４…ファンケース（支持部）
２５…放熱用開口部
３６…上部タンク
３７…下部タンク
３９…流入側接続パイプ（接続部）
４０…給水ホース（配管）
４１…上部装着部（取付け部）
４５…下部装着部（固定部）
５０…グロメット
【図１】
2009090914.tif 000003
【図２】
2009090914.tif 000004
【図３】
2009090914.tif 000005
【図４】
2009090914.tif 000006
【図５】
2009090914.tif 000007
【図６】
2009090914.tif 000008
【図７】
2009090914.tif 000009
【図８】
2009090914.tif 000010